(57)【要約】【課題】受信品質に応じて、第一のパイロット信号を送信単位へ多重するとともに、第二のパイロット信号を多重する通信装置を提供する。【解決手段】複数のシンボルから構成され、第一のパイロット信号を多重した送信単位を通信先装置から受信する通信装置であって、前記第一のパイロット信号を割り当てたシンボルとは異なるシンボルの受信品質から、前記パイロット信号の受信品質を差し引いた差分が差分閾値以上の場合、前記第一のパイロット信号を割り当てたシンボルとは異なるシンボルに第二のパイロット信号を割り当てることを要求するパイロット信号制御情報を生成するパイロット制御情報生成部３２を備えることを特徴とする。【選択図】図３
2007142119.tif 000002
【特許請求の範囲】
【請求項１】
複数のシンボルから構成され、第一のパイロット信号を多重した送信単位を通信先装置から受信する通信装置であって、
前記第一のパイロット信号を割り当てたシンボルとは異なるシンボルの受信品質から、前記第一のパイロット信号の受信品質を差し引いた差分が差分閾値以上の場合、前記第一のパイロット信号を割り当てたシンボルとは異なるシンボルに第二のパイロット信号を割り当てることを前記通信先装置に要求するパイロット信号制御情報を生成し、前記生成したパイロット信号制御情報を前記通信先装置へ通知することを特徴とする通信装置。
【請求項２】
前記通信装置は、前記差分が前記差分閾値未満の場合、前記第二のパイロット信号の割り当てを停止することを要求するパイロット信号制御情報を生成することを特徴とする請求項１記載の通信装置。
【請求項３】
前記通信装置は、前記第一のパイロット信号の受信品質が品質閾値以上となる場合、前記第二のパイロット信号の割り当てを停止することを要求するパイロット信号制御情報を生成することを特徴とする請求項１記載の通信装置。
【請求項４】
複数のシンボルから構成され、第一のパイロット信号を多重した送信単位を通信先装置から受信する通信装置であって、
前記第一のパイロット信号の受信品質と、前記第一のパイロット信号を割り当てたシンボルとは異なるシンボルの受信品質とを測定する測定部と、
前記測定部が測定した二つの受信品質を比較し、前記差分を算出する比較部と、
前記比較部が算出した差分が差分閾値以上である場合、前記第一のパイロット信号を割り当てたシンボルとは異なるシンボルに第二のパイロット信号を割り当てることを前記通信先装置に要求するパイロット信号制御情報を生成するパイロット制御情報生成部と、を備えることを特徴とする通信装置。
【請求項５】
前記送信単位に前記第二のパイロット信号が多重され、前記差分が差分閾値以上である場合は、前記第二のパイロット信号から得られる伝搬路推定値を選択する推定値選択部と、
前記選択した伝搬路推定値を用いて伝搬路補償を行なう伝搬路補償部と、を更に備えることを特徴とする請求項４記載の通信装置。
【請求項６】
前記推定値選択部は、前記比較部が算出した差分が差分閾値未満であった場合は、前記第一のパイロット信号から得られる伝搬路推定値、または前記第一のパイロット信号と前記第二のパイロット信号とから得られる伝搬路推定値を用いて算出した伝搬路推定値を選択することを特徴とする請求項５記載の通信装置。
【請求項７】
前記パイロット制御情報生成部は、移動速度が速度閾値以上である場合、前記第二のパイロット信号を割り当てることを要求するパイロット信号制御情報を生成することを特徴とする請求項５記載の通信装置。
【請求項８】
前記移動速度が速度閾値以上である場合、前記第一のパイロット信号から得られる伝搬路推定値と、前記第二のパイロット信号から得られる伝搬路推定値との補間を行なう内挿・外挿部を、更に備え、
前記伝搬路補償部は、前記内挿・外挿部が補間した伝搬路推定値を用いて伝搬路補償を行なうことを特徴とする請求項７記載の通信装置。
【請求項９】
複数のシンボルから構成され、第一のパイロット信号を多重した送信単位を通信先装置へ送信する通信装置であって、
前記通信先装置から受信した前記第一のパイロット信号の受信品質と、前記第一のパイロット信号を割り当てたシンボルとは異なるシンボルの受信品質とを入力し、入力した二つの受信品質を比較して前記差分を算出する比較部と、
前記比較部が算出した差分に基づいて、前記第一のパイロット信号を割り当てたシンボルとは異なるシンボルに第二のパイロット信号を割り当てることを指示するパイロット信号制御情報を生成するパイロット制御情報生成部と、
生成したパイロット信号制御情報に基づいて、前記第一のパイロット信号に加え、前記第二のパイロット信号を多重することを制御する制御部と、を備えることを特徴とする通信装置。
【請求項１０】
複数のシンボルから構成される送信単位へ第一のパイロット信号を多重して通信先装置へ送信する通信装置であって、
前記第一のパイロット信号を割り当てたパイロットシンボルとは異なるシンボルの受信品質から、前記第一のパイロット信号の受信品質を差し引いた差分が差分閾値以上の場合、前記パイロット信号を割り当てたシンボルとは異なるシンボルに第二のパイロット信号を割り当てることを要求するパイロット信号制御情報を前記通信先装置から受信する無線部と、
受信したパイロット信号制御情報に基づいて、前記第一のパイロット信号に加え、前記第二のパイロット信号を多重することを制御する制御部と、を備えることを特徴とする通信装置。
【請求項１１】
前記制御部は、前記通信先装置宛のデータを伝送するチャネルが前回のデータ伝送時と異なる場合、前記第二のパイロット信号を多重しないことを特徴とする請求項９または請求項１０記載の通信装置。
【請求項１２】
前記第一のパイロット信号は、複数のセルにおいて同時に送信される共通パイロット信号であり、前記第二のパイロット信号は、前記第一のパイロット信号とは時間的に異なるシンボルに割り当てられることを特徴とする請求項１、請求項９または請求項１０のいずれかに記載の通信装置。
【請求項１３】
複数のシンボルから構成され、第一のパイロット信号と前記第一のパイロット信号とは異なるシンボルに第二のパイロット信号を多重した送信単位を通信先装置から受信する通信装置であって、
第一のパイロット信号と第二のパイロット信号の受信品質を測定する測定部と、
前記第二のパイロット信号の受信品質から前記第一のパイロット信号の受信品質を差し引いた差分を算出する比較部と、
前記差分が差分閾値以上である場合は前記第二のパイロット信号から得られる伝搬路推定値を選択する推定値選択部と、
選択した伝搬路推定値を用いて伝搬路補償を行なう伝搬路補償部と、を備えることを特徴とする通信装置。
【請求項１４】
前記推定値選択部は、前記比較部が算出した差分が差分閾値未満である場合は、前記第一のパイロット信号から得られる伝搬路推定値、または前記第一のパイロット信号と前記第二のパイロット信号とから得られる伝搬路推定値を用いて算出した伝搬路推定値を選択することを特徴とする請求項１３記載の通信装置。
【請求項１５】
複数のシンボルから構成され、第一のパイロット信号を多重した送信単位を用いて通信制御装置と端末装置との間で通信を行なう無線通信システムであって、
前記通信制御装置は、前記第一のパイロット信号を割り当てたシンボルとは異なるシンボルの受信品質から、前記第一のパイロット信号の受信品質を差し引いた差分が差分閾値以上の場合、前記第一のパイロット信号を割り当てたシンボルとは異なるシンボルに第二のパイロット信号を多重することを特徴とする無線通信システム。
【発明の詳細な説明】
【技術分野】
【０００１】
本発明は、送信単位にパイロット信号を多重して伝搬路補償を行なう通信システムに関する。
【背景技術】
【０００２】
近年のデータ通信量の増加に伴い、より高い周波数利用効率を有する移動体通信システムの必要性が高まっており、それらの実現を目指した様々な技術が提案されている。周波数利用効率を高める可能性を持った技術のひとつにＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）があり、３ＧＰＰ（Ｔｈｅ  ３ｒｄ  Ｇｅｎｅｒａｔｉｏｎ  Ｐａｒｔｎｅｒｓｈｉｐ  Ｐｒｏｊｅｃｔ）を中心に標準化が進められているＥ‐ＵＴＲＡ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ）システムのダウンリンクアクセス方式への採用も決定されている（非特許文献１）。【０００３】
図９は、このＥ‐ＵＴＲＡのダウンリンクにおける周波数・時間リソースの分割例を示す図である。但し、図９の上段はシステム全体のリソースの分割例を、図９の下段は１リソースブロックのシンボル構成をそれぞれ示している。Ｅ‐ＵＴＲＡダウンリンクでは周波数および時間を図９の上段に示すように分割した１つのブロック（斜線部）をリソースブロックとし、１リソースブロックをユーザがアクセスする最小単位としている。１つのリソースブロックは図９の下段に示すように、パイロットシンボルとデータシンボル（ここでは制御情報も含むものとする）から構成される。ここで、図９の下段に示すように、１つのリソースブロックにはファーストパイロットシンボルとセカンドパイロットシンボルの２つのパイロットシンボルが設けられている。このうち、ファーストパイロットシンボルはセルサーチや周波数チャネルの品質測定、伝搬路推定値の算出に用いられる既知の信号であり、リソースブロックに常時挿入される。【０００４】
このファーストパイロットシンボルのサブキャリアには基地局固有の符号が乗算されているが、この符号は基地局の特定や干渉のランダム化を行なう役割を持っている。セカンドパイロットシンボルは基本的に、指向性ビームを形成した伝送やＭＩＭＯ（Ｍｕｌｔｉ−Ｉｎｐｕｔ  Ｍｕｌｔｉ−Ｏｕｔｐｕｔ）伝送が行なわれる際の伝搬路推定値の算出に使用される。また、上記以外の伝送の際にも、ユーザが高速移動する場合にはファーストパイロットシンボルを用いた伝搬路推定だけではフェージングの変動速度に追従できないため、セカンドパイロットシンボルによる伝搬路推定も併用することにより、伝搬路推定精度の劣化を抑えることができる。但し、セカンドパイロットシンボルは常に挿入されるとは限らず、通常のシングルアンテナ伝送（ビーム形成なし）における伝搬路推定はファーストパイロットシンボルを用いて行なわれる。【０００５】
このような、２つのパイロットシンボルを用いて復調精度の向上を図る提案として特許文献１がある。特許文献１には、送信電力制御された第１のパイロットシンボルと送信電力制御されていない第２のパイロットシンボルの受信レベルを比較し、受信レベルの高いパイロットシンボルから得られる伝搬路推定値を選択し、選択された伝搬路推定値のみを用いて復調を行なう手法が示されている。この手法を用いることにより、高い伝搬路推定精度が得られるパイロットシンボルを用いた伝搬路補償が可能となり、復調を高精度に行なうことができる。また、特許文献１には、フェージングの変動速度に応じて２つのパイロットシンボルから得られる伝搬路推定値のどちらかを選択し、選択された伝搬路推定値のみを用いて復調を行なう手法についても記されている。
【特許文献１】特開２００２‐４４１７２号公報
【非特許文献１】３ＧＰＰ，  ＴＲ  ２５．８１４  ｖ０．３．１，  ”Ｐｈｙｓｉｃａｌ  Ｌａｙｅｒ  Ａｓｐｅｃｔｓ  ｆｏｒ  Ｅｖｏｌｖｅｄ  ＵＴＲＡ”
【発明の開示】
【発明が解決しようとする課題】
【０００６】
しかしながら、Ｅ‐ＵＴＲＡシステムは全てのセルで同一周波数帯域を用いるシステムであるため、隣接セルから到来する干渉の影響により受信信号の品質（受信ＳＩＮＲ：Ｓｉｇｎａｌ  ｔｏ  Ｉｎｔｅｒｆｅｒｅｎｃｅ  ｐｌｕｓ  Ｎｏｉｓｅ  ｐｏｗｅｒ  Ｒａｔｉｏ）は劣化する。特に、ファーストパイロットシンボルは全てのセルにおいてほぼ同一タイミングで送信されるため、常に隣接セルからの干渉を受けることとなる。先に述べたように、ファーストパイロットシンボルの各サブキャリアには基地局固有の符号が乗算されており、この符号により他セルから到来する干渉をある程度ランダム化できる設計となっているが、完全に干渉を除去することは不可能である。このため、ファーストパイロットシンボルから算出される伝搬路推定値には干渉の影響による推定誤差が含まれており、この伝搬路推定値を用いてデータシンボルの伝搬路補償および復調を行なう場合には、隣接セルからの干渉がない場合と比較して復調精度が劣化するという問題がある。【０００７】
特許文献１は、１つのパイロットシンボルによる受信レベルが低い場合に、常に送信を行なっている別のパイロットシンボルから得られる伝搬路推定値を用いて伝搬路補償を行なうものであるが、どちらのパイロットシンボルを選択するかは主に信号の距離減衰に応じて決められており、マルチセル環境下において隣接セルから到来する干渉については全く考慮されていない。すなわち、基地局‐端末間距離が短い場合には送信電力制御されていないパイロットシンボル、基地局‐端末間距離が長い場合には送信電力制御されたパイロットシンボルを選択する。【０００８】
また、干渉存在下では、算出された受信レベルにも干渉の影響による誤差が含まれるため、受信レベルが高い方のパイロットシンボルから得られる推定精度が必ずしも高いとは限らず、Ｅ‐ＵＴＲＡシステムに特許文献１による手法を適用しても復調精度は向上しない、または劣化する場合がある。【０００９】
さらに、特許文献１では常に２つのパイロットシンボルを送信することが前提となっているが、常に２つのパイロットシンボルを送信することは効率的ではなく、Ｅ‐ＵＴＲＡシステムではセカンドパイロットシンボルは必要に応じて送信される状況が考えられるため、特許文献１に示された手法を常に適用することはできない。【００１０】
フェージング変動への追従についても、特許文献１では、フェージング変動速度に応じて用いるパイロットシンボルを選択する（高速の場合には送信電力制御されていないパイロットシンボル、低速の場合には送信電力制御されたパイロットシンボルを選択する）ことが示されているが、Ｅ‐ＵＴＲＡシステムでは図９に示すようにファーストパイロットシンボルおよびセカンドパイロットシンボルはデータシンボルと時間多重されるため、変動速度が高速である場合にはどちらかのパイロットシンボルを選択しても変動に追従することはできない。このため、高速フェージング環境下において特許文献１に示される手法をＥ‐ＵＴＲＡシステムに適用する場合には、伝搬路推定精度が著しく劣化してしまう。【００１１】
本発明は、このような事情に鑑みてなされたものであり、第一のパイロット信号を送信単位へ多重するとともに、受信品質に応じて、第二のパイロット信号を多重する通信装置および無線通信システムを提供することを目的とする。
【課題を解決するための手段】
【００１２】
（１）上記の目的を達成するために、本発明は、以下のような手段を講じた。すなわち、本発明に係る通信装置は、複数のシンボルから構成され、第一のパイロット信号を多重した送信単位を通信先装置から受信する通信装置であって、前記第一のパイロット信号を割り当てたシンボルとは異なるシンボルの受信品質から、前記第一のパイロット信号の受信品質を差し引いた差分が差分閾値以上の場合、前記第一のパイロット信号を割り当てたシンボルとは異なるシンボルに第二のパイロット信号を割り当てることを前記通信先装置に要求するパイロット信号制御情報を生成し、前記生成したパイロット信号制御情報を前記通信先装置へ通知することを特徴とする。【００１３】
このように、本発明に係る通信装置によれば、第一のパイロット信号とは異なるシンボルに第二のパイロット信号の多重を行なうことを要求することができる。具体的には、前記差分が差分閾値以上の場合、すなわち、同一リソースを用いる隣接セルの端末が存在しない場合に、セカンドパイロットシンボルの送信を要求することができる。このように、異なるシンボルに割り当てられたパイロットシンボルの受信品質の差分に基づいて、隣接するセルにおいて同じリソースを使用している端末の有無を検出し、セカンドパイロットシンボルの送信を要求するので、第二のパイロット信号を用いて高精度な伝搬路推定を行なうことが可能となる。さらに、受信品質に応じて第二のパイロット信号を割り当てることにより、不要なパイロットシンボルの伝送を避け、スループットの低下を防止することができる。【００１４】
（２）また、本発明に係る通信装置において、前記通信装置は、前記差分が前記差分閾値未満の場合、前記第二のパイロット信号の割り当てを停止することを要求するパイロット信号制御情報を生成することを特徴とする。【００１５】
このように、前記差分が前記差分閾値未満の場合、すなわち、同一リソースを用いる隣接セルの端末が存在する場合に、第二のパイロット信号の割り当てを停止し、または要求しないことにより伝送効率の向上を図ることができる。【００１６】
（３）さらに、本発明に係る通信装置において、前記通信装置は、前記第一のパイロット信号の受信品質が品質閾値以上となる場合、前記第二のパイロット信号の割り当てを停止することを要求するパイロット信号制御情報を生成することを特徴とする。【００１７】
このように、第一のパイロット信号の受信品質が良好な場合に、第二のパイロット信号の割り当てを停止するので、伝送効率の向上を図ることができる。【００１８】
（４）本発明に係る通信装置は、複数のシンボルから構成され、第一のパイロット信号を多重した送信単位を通信先装置から受信する通信装置であって、前記第一のパイロット信号の受信品質と、前記第一のパイロット信号を割り当てたシンボルとは異なるシンボルの受信品質とを測定する測定部と、前記測定部が測定した二つの受信品質を比較し、前記差分を算出する比較部と、前記比較部が算出した差分が差分閾値以上である場合、前記第一のパイロット信号を割り当てたシンボルとは異なるシンボルに第二のパイロット信号を割り当てることを前記通信先装置に要求するパイロット信号制御情報を生成するパイロット制御情報生成部と、を備えることを特徴とする。【００１９】
このように、本発明に係る通信装置によれば、第一のパイロット信号とは異なるシンボルに第二のパイロット信号の多重を行なうことを要求することができる。具体的には、前記差分が差分閾値以上の場合、すなわち、同一リソースを用いる隣接セルの端末が存在しない場合に、セカンドパイロットシンボルの送信を要求することができる。測定部は、第一のパイロット信号に加え、前記第一のパイロット信号を割り当てたシンボルとは異なるシンボルに割り当てられた信号（第二のパイロット信号あるいは第二のパイロット信号が割り当てられていない場合はデータ信号）の受信品質を測定する。このように、異なるシンボルに割り当てられたパイロットシンボルの受信品質の差分に基づいて、隣接するセルにおいて同じリソースを使用している端末の有無を検出し、セカンドパイロットシンボルの送信を要求するので、第二のパイロット信号を用いて高精度な伝搬路推定を行なうことが可能となる。さらに、受信品質に応じて第二のパイロット信号を割り当てることにより、不要なパイロットシンボルの伝送を避け、スループットの低下を防止することができる。【００２０】
（５）本発明に係る通信装置において、前記送信単位に前記第二のパイロット信号が多重され、前記差分が差分閾値以上である場合は、前記第二のパイロット信号から得られる伝搬路推定値を選択する推定値選択部と、前記選択した伝搬路推定値を用いて伝搬路補償を行なう伝搬路補償部と、を更に備えることを特徴とする。【００２１】
このように、送信単位に第二のパイロット信号が多重され、差分が差分閾値以上である場合は、第二のパイロット信号から得られる伝搬路推定値を選択し、その選択した伝搬路推定値を用いて伝搬路補償を行なうので、第一のパイロットシンボルから得られる伝搬路推定値を用いて伝搬路補償を行なう場合に比べ、データシンボルの伝搬路補償を高精度に行なうことが可能となる。【００２２】
（６）また、本発明に係る通信装置において、前記推定値選択部は、前記比較部が算出した差分が差分閾値未満であった場合は、前記第一のパイロット信号から得られる伝搬路推定値、または前記第一のパイロット信号と前記第二のパイロット信号とから得られる伝搬路推定値を用いて算出した伝搬路推定値を選択することを特徴とする。【００２３】
このように、差分閾値未満であった場合は、第一のパイロット信号から得られる伝搬路推定値、または第一のパイロット信号と第二のパイロット信号とから得られる伝搬路推定値を用いて算出した伝搬路推定値を選択するので、隣接するセルからの干渉がある場合においても、伝搬路推定精度の劣化を抑制することが可能になる。【００２４】
（７）本発明に係る通信装置において、前記パイロット制御情報生成部は、移動速度が速度閾値以上である場合、前記第二のパイロット信号を割り当てることを要求するパイロット信号制御情報を生成することを特徴とする。【００２５】
このように、端末の移動速度が速い場合は、第二のパイロット信号の割り当てを要求し、第一のパイロット信号から得られる伝搬路推定値と第二のパイロット信号から得られる伝搬路推定値からデータシンボルの伝搬路推定値を補間して算出することにより、伝搬路推定精度の劣化を抑制することができる。【００２６】
（８）本発明に係る通信装置において、前記移動速度が速度閾値以上である場合、前記第一のパイロット信号から得られる伝搬路推定値と、前記第二のパイロット信号から得られる伝搬路推定値との補間を行なう内挿・外挿部を、更に備え、前記伝搬路補償部は、前記内挿・外挿部が補間した伝搬路推定値を用いて伝搬路補償を行なうことを特徴とする。【００２７】
このように、端末の移動速度が速い場合は、第二のパイロット信号を割り当て、前記内挿・外挿部によって、第一のパイロット信号から得られる伝搬路推定値と第二のパイロット信号から得られる伝搬路推定値からデータシンボルの伝搬路推定値を補間して算出することにより、伝搬路推定精度の劣化を抑制することができる。【００２８】
（９）本発明に係る通信装置は、複数のシンボルから構成され、第一のパイロット信号を多重した送信単位を通信先装置へ送信する通信装置であって、前記通信先装置から受信した前記第一のパイロット信号の受信品質と、前記第一のパイロット信号を割り当てたシンボルとは異なるシンボルの受信品質とを入力し、入力した二つの受信品質を比較して前記差分を算出する比較部と、前記比較部が算出した差分に基づいて、前記第一のパイロット信号を割り当てたシンボルとは異なるシンボルに第二のパイロット信号を割り当てることを指示するパイロット信号制御情報を生成するパイロット制御情報生成部と、生成したパイロット信号制御情報に基づいて、前記第一のパイロット信号に加え、前記第二のパイロット信号を多重することを制御する制御部と、を備えることを特徴とする。【００２９】
このように、通信を制御する通信装置（通信制御装置、基地局など）において、通信先装置（端末）から受信品質を受信することによって、第二のパイロット信号の割り当てが必要であるかを判断し、判断結果に基づいて、第二のパイロット信号の割り当てを制御することができる。これにより、通信先の端末装置において、干渉の到来状況に応じた伝搬路推定を行なうことができる。【００３０】
（１０）本発明に係る通信装置は、複数のシンボルから構成される送信単位へ第一のパイロット信号を多重して通信先装置へ送信する通信装置であって、前記第一のパイロット信号を割り当てたパイロットシンボルとは異なるシンボルの受信品質から、前記第一のパイロット信号の受信品質を差し引いた差分が差分閾値以上の場合、前記パイロット信号を割り当てたシンボルとは異なるシンボルに第二のパイロット信号を割り当てることを要求するパイロット信号制御情報を前記通信先装置から受信する無線部と、受信したパイロット信号制御情報に基づいて、前記第一のパイロット信号に加え、前記第二のパイロット信号を多重することを制御する制御部と、を備えることを特徴とする。【００３１】
このように、通信を制御する通信装置（通信制御装置、基地局など）において、通信先装置（端末）から受信品質を受信することによって、第二のパイロット信号の割り当てが必要であるかを判断し、判断結果に基づいて、第二のパイロット信号の割り当てを制御することができる。これにより、通信先の端末装置において、干渉の到来状況に応じた伝搬路推定を行なうことができる。【００３２】
（１１）本発明に係る通信装置において、前記制御部は、前記通信先装置宛のデータを伝送するチャネルが前回のデータ伝送時と異なる場合、前記第二のパイロット信号を多重しないことを特徴とする。【００３３】
このように、通信を制御する通信装置（通信制御装置、基地局など）において、パイロット信号制御情報を受信することによって、通信先装置（端末）からの第二のパイロット信号の割り当ての要求を把握し、パイロット信号の割り当てを制御することができる。これにより、通信先の端末装置において、干渉の到来状況に応じた伝搬路推定を行なうことができる。【００３４】
（１２）本発明に係る通信装置において、前記第一のパイロット信号は、複数のセルにおいて同時に送信される共通パイロット信号であり、前記第二のパイロット信号は、前記第一のパイロット信号とは時間的に異なるシンボルに割り当てられることを特徴とする。【００３５】
このように、第一のパイロット信号は、共通パイロット信号であるため、隣接セルからの干渉を必ず受け、第二のパイロット信号は、データシンボルに割り当てることより、隣接するセルの端末が同じリソースを使用しない場合は、隣接セルからの干渉を受けにくい。このような特性を利用して、第二のパイロット信号を割り当て、それを用いて伝搬路推定を行なうことにより、伝搬路推定精度の向上を図ることができる。【００３６】
（１３）本発明に係る通信装置は、複数のシンボルから構成され、第一のパイロット信号と前記第一のパイロット信号とは異なるシンボルに第二のパイロット信号を多重した送信単位を通信先装置から受信する通信装置であって、第一のパイロット信号と第二のパイロット信号の受信品質を測定する測定部と、前記第二のパイロット信号の受信品質から前記第一のパイロット信号の受信品質を差し引いた差分を算出する比較部と、前記差分が差分閾値以上である場合は前記第二のパイロット信号から得られる伝搬路推定値を選択する推定値選択部と、選択した伝搬路推定値を用いて伝搬路補償を行なう伝搬路補償部と、を備えることを特徴とする。【００３７】
このように、差分が差分閾値以上である場合は、第二のパイロット信号から得られる伝搬路推定値を選択し、その選択した伝搬路推定値を用いて伝搬路補償を行なうので、第一のパイロットシンボルから得られる伝搬路推定値を用いて伝搬路補償を行なう場合に比べ、データシンボルの伝搬路補償を高精度に行なうことが可能となる。【００３８】
（１４）本発明に係る通信装置において、前記推定値選択部は、前記比較部が算出した差分が差分閾値未満である場合は、前記第一のパイロット信号から得られる伝搬路推定値、または前記第一のパイロット信号と前記第二のパイロット信号とから得られる伝搬路推定値を用いて算出した伝搬路推定値を選択することを特徴とする。【００３９】
このように、差分閾値未満であった場合は、第一のパイロット信号から得られる伝搬路推定値、または第一のパイロット信号と第二のパイロット信号とから得られる伝搬路推定値を用いて算出した伝搬路推定値を選択するので、隣接するセルからの干渉がある場合においても、伝搬路推定精度の劣化を抑制することが可能になる。【００４０】
（１５）本発明に係る無線通信システムは、複数のシンボルから構成され、第一のパイロット信号を多重した送信単位を用いて通信制御装置と端末装置との間で通信を行なう無線通信システムであって、前記通信制御装置は、前記第一のパイロット信号を割り当てたシンボルとは異なるシンボルの受信品質から、前記第一のパイロット信号の受信品質を差し引いた差分が差分閾値以上の場合、前記第一のパイロット信号を割り当てたシンボルとは異なるシンボルに第二のパイロット信号を多重することを特徴とする。【００４１】
このように、無線通信システムによれば、干渉信号の到来状況に応じて、第一のパイロット信号とは異なるシンボルに第二のパイロット信号の多重を行なうことができる。これにより、受信側の通信装置において干渉の影響の少ない第二のパイロット信号を用いた伝搬路推定を行なう場合には、受信側の通信装置における伝搬路推定精度を向上させることができる。さらに、受信品質に応じて第二のパイロット信号を割り当てることにより、不要なパイロットシンボルの伝送を避け、スループットの低下を防止することができる。
【発明の効果】
【００４２】
本発明によれば、第一のパイロット信号を送信単位へ多重するとともに、受信品質に応じて、第二のパイロット信号を多重することができる。これにより、受信側の通信装置において干渉の到来状況に応じた伝搬路推定を行なうことができ、第二のパイロット信号受信時に到来する干渉が少ない場合には、第二のパイロット信号を用いた伝搬路推定を行なうことにより高精度な伝搬路推定を行なうことができる。
【発明を実施するための最良の形態】
【００４３】
次に、本発明の実施形態について、図面を参照しながら説明する。各図面において同一の構成または機能を有する構成要素および相当部分には、同一の符号を付し、その説明は省略する。また、フローチャートにおいても、同様の処理を示す場合は同じステップ番号を付し、説明を省略する。【００４４】
以下では、Ｅ‐ＵＴＲＡシステムにおいて、指向性ビームの形成を行なわないシングルアンテナによるダウンリンク伝送を行なう場合を例として、本発明によるデータシンボルの伝搬路補償法およびそれを用いる無線通信システムや送受信機構成について説明する。但し、本発明はダウンリンク伝送だけでなく、アップリンク伝送にも適用可能である。【００４５】
また、以下の説明では、基地局（基地局装置）と端末（端末装置）とを一例として用いて説明するが、基地局は、パイロット信号を多重して信号を送信する機能を有し、端末は、パイロット信号を多重した信号を受信する機能を有するものであればその他のものであってもよい。基地局装置は、通信を制御する側であることより、通信制御装置ともいう。さらに、本発明は、パイロット信号を送信単位へ多重して通信を行なう通信装置に適用することが可能であり、通信装置は、基地局側あるいは端末側の一方、あるいは両方の機能を有するものが該当する。【００４６】
送信単位は、複数のシンボルから形成され、複数のシンボルは、パイロット信号を割り当てるパイロットシンボル（ＰＳ：Ｐｉｌｏｔ  Ｓｙｍｂｏｌｓ）とデータを割り当てるデータシンボル（ＤＳ：Ｄａｔａ  Ｓｙｍｂｏｌｓ）とに分けられる。パイロットシンボルのうち、ファーストパイロット信号（第一のパイロット信号）を割り当てるシンボルをファーストパイロットシンボル（ＦＰＳ：Ｆｉｒｓｔ  Ｐｉｌｏｔ  Ｓｙｍｂｏｌｓ）、セカンドパイロット信号（第二のパイロット信号）を割り当てるシンボルをセカンドパイロットシンボル（ＳＰＳ：Ｓｅｃｏｎｄ  Ｐｉｌｏｔ  Ｓｙｍｂｏｌｓ）として説明する。【００４７】
また、以下では、パイロットシンボルから得られる伝搬路推定値とは、パイロットシンボルに割り当てられたパイロット信号から得られる伝搬路推定値と同様のことを意味する。また、パイロットシンボルの受信品質とは、パイロットシンボルに割り当てられたパイロット信号の受信品質と同様のことを意味する。本明細書内ではこれらを厳密に区別していない。データシンボルについても同様である。【００４８】
図１は、Ｅ‐ＵＴＲＡシステムにおいて隣接セルから到来する干渉波の状況について示す図である。また、図２は、干渉波が受信品質に与える影響の一例を示す図である。但し、簡単のため隣接セル数は１つとした場合のセル構成例を示す。図２は、１フレームの構成例と、隣接セル（セル２）の端末割り当て状況に応じた端末Ａにおける受信ＣＱＩ（Ｃｈａｎｎｅｌ  Ｑｕａｌｉｔｙ  Ｉｎｆｏｒｍａｔｉｏｎ）の変動例を示している。Ｅ‐ＵＴＲＡシステムでは、端末における受信品質に応じた周波数スケジューリングや適応変調を行なうために、各端末において受信ＣＱＩを測定し、測定結果をそれぞれ基地局に報告する方式を用いており、本発明ではこの受信ＣＱＩの測定結果を利用するものとする。【００４９】
図２上段の受信ＣＱＩは、セル１において端末Ａに割り当てられたリソースと全く同一のリソースがセル２においても使用されている場合の端末Ａにおける受信ＣＱＩを示す（以下、「受信ＣＱＩ９１」と記す）。例えば、端末Ｂに割り当てられている場合である。図２下段の受信ＣＱＩはセル１において端末Ａに割り当てられたリソースと同じリソースがセル２において使用されていない場合の端末Ａにおける受信ＣＱＩ（以下、「受信ＣＱＩ９２」と記す）を示す。受信ＣＱＩ９１に示すように、端末Ａに割り当てられたリソースと同じリソースがセル２の端末Ｂに割り当てられている場合には、端末Ｂ宛の信号が端末Ａにおいては干渉として観測されるため、端末Ａにおける受信ＣＱＩはフレーム中で常に低いレベルとなる。これに対し、端末Ａに割り当てられたリソースと同じリソースがセル２では使用されていない場合には、受信ＣＱＩ９２に示すように、ファーストパイロットの送信期間では、受信ＣＱＩ９１の場合と同様、受信ＣＱＩは低いレベルとなっているが、それ以外の送信期間では高い受信ＣＱＩが得られている。これは、先に述べたように、ファーストパイロットシンボルは常に全てのセルにおいてほぼ同一タイミングで送信されるため、必ず干渉の影響を受けるのに対し、データシンボルおよびセカンドパイロットシンボルはユーザが割り当てられた場合にのみ送信されるため、隣接セルの割り当て状況によっては干渉の影響を受けない場合もあるためである。【００５０】
受信ＣＱＩ９２に示すような状況の場合、ファーストパイロットシンボルは干渉の影響を受けているため、ファーストパイロットシンボルから得られる伝搬路推定値には誤差が多く含まれるのに対し、セカンドパイロットシンボルは干渉の影響を受けていないため、セカンドパイロットシンボルから得られる伝搬路推定値には誤差が少ない。したがって、このような状況においてセカンドパイロットシンボルから得られる伝搬路推定値を用いた伝搬路補償を行なう場合には、ファーストパイロットシンボルから得られる伝搬路推定値を用いる場合に比べ、データシンボルの伝搬路補償を高精度に行なうことができる。【００５１】
（第１の実施形態）
第１の実施形態では、隣接セルからの干渉がない状況においてセカンドパイロットシンボルを伝送し、セカンドパイロットシンボルから得られる伝搬路推定値を用いてデータシンボルの伝搬路補償を行なう。【００５２】
具体的には、各端末において受信されたファーストパイロットシンボルとセカンドパイロットシンボルの受信ＣＱＩを比較し、セカンドパイロットシンボルの受信ＣＱＩがファーストパイロットシンボルの受信ＣＱＩよりも予め決められた閾値（差分閾値）以上高い場合には隣接セルからの干渉がないものと判断して、セカンドパイロットシンボルから得られる伝搬路推定値を用いてデータシンボルの伝搬路補償を行なう。一方、セカンドパイロットシンボルの受信ＣＱＩとファーストパイロットシンボルの受信ＣＱＩの差が予め決められた閾値未満となる場合には隣接セルからの干渉があるものと判断し、この場合には、ファーストパイロットシンボルから得られる伝搬路推定値を用いてデータシンボルの伝搬路補償を行なう。ここで、干渉電力が高い場合には受信ＣＱＩ値の誤差が大きくなり誤った判断をしてしまう状況が考えられるが、閾値をある程度高い値に設定しておくことにより干渉の影響が大きい場合の誤差の影響を軽減することができる。【００５３】
さらに、フェージングの変動速度（端末の移動速度）が高速である場合には、フェージング変動に追従した伝搬路補償を行なうために、ファーストパイロットシンボルとセカンドパイロットシンボルから得られる伝搬路推定値を内挿および外挿処理した値を用いてデータシンボルの伝搬路補償を行なう。このように、伝搬路補償に用いる伝搬路推定値の切り替えを行なうことにより、隣接セルから到来する干渉の有無（隣接セルにおける端末割り当て状況）とフェージングの変動速度に応じた伝搬路補償を行なうことが可能となり、復調誤りを低減することができる。【００５４】
但し、先に述べたように、Ｅ‐ＵＴＲＡシステムでは常にセカンドパイロットシンボルが伝送されるとは限らず、また、常にセカンドパイロットシンボルを伝送することはスループットの低下を招き、効率的ではない。そこで本実施形態では、セカンドパイロットシンボルの伝送を受信品質に応じて端末側から基地局側に要求する制御を行なう手法を用いる。【００５５】
これは、まず、セカンドパイロットシンボルが伝送されていない状況において、各端末ではファーストパイロットシンボルの受信ＣＱＩとデータシンボルの受信ＣＱＩを測定し、比較を行なう。この時、データシンボルの受信ＣＱＩがファーストパイロットシンボルの受信ＣＱＩよりも予め決められた閾値以上高い場合には隣接セルからの干渉がないものと判断して、セカンドパイロットシンボルの伝送を基地局に要求する。一方、データシンボルの受信ＣＱＩとファーストパイロットシンボルの受信ＣＱＩの差が予め決められた閾値未満となる場合には隣接セルからの干渉があるものと判断し、この場合にはファーストパイロットシンボルから得られる伝搬路推定値を用いた伝搬路補償を行なうので、セカンドパイロットシンボルの伝送を基地局に要求しない。また、セカンドパイロットシンボルが伝送されている状況では、伝送されたセカンドパイロットシンボルの受信ＣＱＩとファーストパイロットシンボルの受信ＣＱＩの差が予め決められた閾値未満となる場合に、セカンドパイロットシンボルの伝送を停止する要求を端末から基地局へ送る。但し、セカンドパイロットシンボルを伝送しない場合には、代わりにデータシンボルが送信され、セカンドパイロットシンボルを伝送する場合に比べ、多くのデータを送信することができる。【００５６】
このように、受信品質に応じてセカンドパイロットシンボルを送信することにより、不要なパイロットシンボルの伝送を避け、スループットの低下を防止することができる。【００５７】
ここで、本実施形態による伝搬路補償法を用いる端末装置構成と基地局装置構成を示す。図３は、第１の実施形態に係る端末装置１００の構成を示すブロック図であり、図４は、第１の実施形態に係る基地局装置２００の構成を示すブロック図である。【００５８】
図３に示すように、本実施形態による端末装置１００は、アンテナ部１０、無線部１１、スイッチ１２、受信機３９、並びに、送信機４０を備える。受信機３９は、Ａ／Ｄ（Ａｎａｌｏｇ  ｔｏ  Ｄｉｇｉｔａｌ）変換部（Ａ／Ｄ）１３、同期部１４、ＧＩ（Ｇｕａｒｄ  Ｉｎｔｅｒｖａｌ）除去部１５、Ｓ／Ｐ（Ｓｅｒｉａｌ  ｔｏ  Ｐａｒａｌｌｅｌ）変換部（Ｓ／Ｐ）１６、ＦＦＴ（Ｆａｓｔ  Ｆｏｕｒｉｅｒ  Ｔｒａｎｓｆｏｒｍ）部１７、チャネル選択部１８、シンボル分離部１９、コピー部２０、伝搬路補償部２１、デマッピング部２２、Ｐ／Ｓ（Ｐａｒａｌｌｅｌ  ｔｏ  Ｓｅｒｉａｌ）変換部（Ｐ／Ｓ）２３、復号部２４、ＣＱＩ（Ｃｈａｎｎｅｌ  Ｑｕａｌｉｔｙ  Ｉｎｄｉｃａｔｏｒ）測定部（測定部）２５、バッファ２６、ＣＱＩ比較部（比較部）２７、伝搬路推定部２８、内挿・外挿部２９、並びに、推定値選択部３０を備える。また、送信機４０は、ＣＱＩ情報生成部３１、パイロット制御情報生成部３２、符号部３３、変調部３４、Ｓ／Ｐ変換部（Ｓ／Ｐ）３５、ＩＦＦＴ（Ｉｎｖｅｒｓｅ  ＦＦＴ）部３６、ＧＩ挿入部３７、並びに、Ｄ／Ａ（Ｄｉｇｉｔａｌ  ｔｏ  Ａｎａｌｏｇ）変換部（Ｄ／Ａ）３８を備える。【００５９】
基地局から伝送される図９に示すようなフレームを受信する場合、図３に示す端末装置１００では、アンテナ部１０で受信された信号を無線部１１にてＡ／Ｄ変換可能な周波数に変換し、スイッチ１２を経由してＡ／Ｄ変換部１３においてディジタル信号に変換する。次に、同期部１４にてシンボル同期を確立し、ＧＩ除去部１５においてシンボル毎にＧＩを除去した後、Ｓ／Ｐ変換部１６を経由してＦＦＴ部１７において時間領域の信号を周波数領域の信号に変換する。【００６０】
受信信号には他端末宛の信号も含まれているため、チャネル選択部１８において、自端末に割り当てられた周波数チャネルのみを選択し、ＦＦＴ部１７の出力信号から自端末宛の信号のみを抽出する。この時の割り当て情報（スケジューリング情報）は、基地局から事前に通知された情報の復調結果を用いるものとする。【００６１】
チャネル選択部１８において自端末宛の信号のみを抽出した後、シンボル分離部１９において多重されているパイロットシンボルとデータシンボルを分離する。先に述べたように、セカンドパイロットシンボルは多重される場合とされない場合があるが、セカンドパイロットシンボルの有無を示す情報はパイロットシンボル情報として基地局から事前に通知されるものとする。セカンドパイロットシンボルが多重される場合には、シンボル分離部１９においてファーストおよびセカンドパイロットシンボルとデータシンボルが分離され、２つのパイロットシンボルはＣＱＩ測定部２５および伝搬路推定部２８へ送られる。【００６２】
ＣＱＩ測定部２５では、まずファーストパイロットシンボルのＣＱＩが測定され、その結果がバッファ２６に格納される。同様にセカンドパイロットシンボルのＣＱＩもＣＱＩ測定部２５において測定され、その結果とバッファ２６に格納されているファーストパイロットシンボルのＣＱＩ測定結果とがＣＱＩ比較部２７に入力される。【００６３】
ＣＱＩ比較部２７では、ファーストパイロットシンボルにおけるＣＱＩとセカンドパイロットシンボルにおけるＣＱＩの比較が行なわれ、ファーストパイロットシンボルにおけるＣＱＩとセカンドパイロットシンボルにおけるＣＱＩの差分を算出した比較結果が推定値選択部３０とパイロット制御情報生成部３２に送られる。また、バッファ２６に格納されたファーストパイロットシンボルにおけるＣＱＩはＣＱＩ情報生成部３１に送られ、ＣＱＩ情報として基地局側へ通知されることとなる。【００６４】
伝搬路推定部２８では、ファーストパイロットシンボルおよびセカンドパイロットシンボルを用いた伝搬路推定がそれぞれ行なわれ、算出された２つの伝搬路推定値は内挿・外挿部２９に送られる。但し、本実施形態における伝搬路推定方法は、既知であるパイロット信号を用いて、周波数領域において受信パイロット信号を複素除算する手法を用いるものとする。【００６５】
内挿・外挿部２９には算出された伝搬路推定値と、伝搬路の変動速度（端末の移動速度）を示す変動速度情報が入力され、変動速度が予め決められた閾値（速度閾値）より低速である場合には入力された２つの伝搬路推定値をそのまま推定値選択部３０へ出力する。逆に、変動速度が予め決められた閾値より高速である場合には、フェージング変動に追随した伝搬路推定値の算出を行なうために、ファーストパイロットシンボルから算出された伝搬路推定値とセカンドパイロットシンボルから算出された伝搬路推定値に対して内挿および外挿演算（本実施形態では簡単な線形補間）を行ない、その結果を推定値選択部３０へ出力する。ここで、本実施形態では、変動速度情報は端末において予め測定した情報であるものとし、図示しない上位層のブロックから通知されるものとする。【００６６】
推定値選択部３０には、伝搬路推定値と変動速度情報、ＣＱＩ比較結果が入力されるが、変動速度が予め決められた閾値より低速であり、セカンドパイロットシンボルのＣＱＩがファーストパイロットシンボルのＣＱＩより予め決められた閾値以上高い場合には、セカンドパイロットシンボルから算出された伝搬路推定値を伝搬路補償部２１へ出力する。逆に、変動速度が予め決められた閾値より低速であるが、セカンドパイロットシンボルのＣＱＩがファーストパイロットシンボルのＣＱＩより予め決められた閾値未満である場合には、ファーストパイロットシンボルから算出された伝搬路推定値を伝搬路補償部２１へ出力する。また、変動速度が予め決められた閾値より高速である場合には、ファーストパイロットシンボルとセカンドパイロットシンボルを内挿・外挿処理した結果を伝搬路補償部２１へ出力する（内挿・外挿部２９からの入力をそのまま出力する）。【００６７】
このようにパイロットシンボルの品質や変動速度に応じて選択された伝搬路推定値を入力された伝搬路補償部２１では、その伝搬路推定値を用いて先に入力されたデータシンボルの伝搬路補償を行なう。伝搬路補償後のデータ信号はデマッピング部２２に送られ、変調方式識別情報に基づき復調される。この変調方式識別情報はデータ伝送に用いる変調方式および符号化率を伝搬路の変動に応じて変更する場合に、該当するフレームにおいて用いられている変調方式および符号化率を示す情報であり、基地局から事前に通知される。復調後のデータ信号はＰ／Ｓ変換部２３を経由後、復号部２４において誤り訂正復号され、得られた受信データは図示しない上位層へ送られる。【００６８】
上記では、セカンドパイロットシンボルが多重される場合について端末側受信機３９の動作を説明したが、次に、セカンドパイロットシンボルが多重されない場合についての本実施形態における受信機３９の動作、特にＣＱＩの測定に関する動作を説明する。セカンドパイロットシンボルが多重されない場合には、セカンドパイロットシンボルによる伝搬路推定や、ファーストパイロットシンボルとセカンドパイロットシンボルの伝搬路推定値の内挿・外挿処理を行なうことは不可能である。したがって、この場合の伝搬路推定はファーストパイロットシンボルのみを用いて行なわれ、伝搬路補償はファーストパイロットシンボルから得られる伝搬路推定値を用いて行なわれる。但し、本実施形態では、この場合にもデータシンボルの伝送期間に他セルからの干渉が到来しているか否かを判定し、干渉がない場合にはセカンドパイロットシンボルの伝送を基地局に要求する必要があるため、データシンボルのＣＱＩをＣＱＩ測定部２５において測定する。この測定は、シンボル分離部１９からコピー部２０へ入力されたデータシンボルの一部（１シンボル）のみを用いて行なわれるものとする。この時（セカンドパイロットシンボルが多重されていない場合）、コピー部２０ではフレーム内のデータシンボルを一部だけコピーしＣＱＩ測定部２５へ出力する処理が行なわれる。このように測定されたデータシンボルのＣＱＩは、ファーストパイロットシンボルのＣＱＩと共にＣＱＩ比較部へ出力され、２つのＣＱＩの比較が行なわれる。【００６９】
このような構成とすることにより、セカンドパイロットシンボルが多重されていない場合においても、隣接セルにおいて同一リソースを用いて通信を行なっている端末の有無を判断し、セカンドパイロットシンボルを多重するか否かを決定することができる。【００７０】
次に、端末側の送信機４０について説明する。先に述べたように、図３のＣＱＩ情報生成部３１には、ファーストパイロットシンボルのＣＱＩ測定結果が入力され、周波数スケジューリングや適応変調を行なう際に基地局において用いられるＣＱＩ情報が生成される。このＣＱＩ情報は符号部３３に入力される。【００７１】
パイロット制御情報生成部３２には、上位層から通知される変動速度情報と、ＣＱＩ比較部２７から通知されるファーストパイロットシンボルとセカンドパイロットシンボルのＣＱＩの比較結果、またはファーストパイロットシンボルとデータシンボルのＣＱＩの比較結果のいずれか一方が入力される。このうち、変動速度が予め決められた閾値よりも低速であり、さらに、ファーストパイロットシンボルのＣＱＩに比べセカンドパイロットシンボルまたはデータシンボルのＣＱＩが予め決められた閾値以上高い場合には、パイロット制御情報生成部３２は、セカンドパイロットシンボルの伝送を基地局に要求する情報を生成する。逆に、変動速度が予め決められた閾値よりも低速であるが、ファーストパイロットシンボルのＣＱＩに比べセカンドパイロットシンボルまたはデータシンボルのＣＱＩが予め決められた閾値未満である場合には、パイロット制御情報生成部３２は、セカンドパイロットシンボルの伝送を停止するか、またはセカンドパイロットシンボルの伝送を要求しない情報を生成する。また、変動速度が予め決められた閾値よりも高速である場合には、パイロット制御情報生成部３２は、ＣＱＩの比較結果に依らず、セカンドパイロットシンボルの伝送を基地局に要求する情報を生成する。このように生成されたセカンドパイロットシンボルの多重の要求または多重の停止を通知するパイロット信号制御情報（パイロットシンボル制御情報、制御情報）は符号部３３に入力される。【００７２】
上述のように、ＣＱＩ情報とパイロット信号制御情報が入力される符号部３３には、さらに上位層から送信データが入力され、それらのデータにそれぞれ誤り訂正符号化が施される。そして、変調部３４にて変調されＳ／Ｐ変換部３５を経由した後、ＩＦＦＴ部３６において周波数領域の信号から時間領域の信号に変換される。ＩＦＦＴ後に、ＧＩ挿入部３７においてＧＩが付加され、Ｄ／Ａ変換部３８においてディジタル信号からアナログ信号へ変換される。Ｄ／Ａ変換後の信号は、スイッチ１２を経由し無線部１１にて送信可能な周波数帯へ周波数変換された後、アンテナ部１０から送信される。【００７３】
このような構成とすることにより、変動速度が高速であるか、同一リソースを用いる隣接セルの端末が存在しない場合に、セカンドパイロットシンボルの送信（割り当て）を基地局に要求することができ、それ以外の場合にはセカンドパイロットシンボルの送信（割り当て）を停止する、または要求しないことにより伝送効率の向上を図ることができる。【００７４】
次に、本実施形態における基地局装置２００の構成について説明する。図４に示すように、本実施形態における基地局装置２００は、アンテナ部５０、無線部５１、スイッチ５２と、受信機６９、並びに、送信機７０を備える。このうち受信機６９は、Ａ／Ｄ変換部（Ａ／Ｄ）５３、同期部５４、ＧＩ除去部５５、Ｓ／Ｐ変換部（Ｓ／Ｐ）５６、ＦＦＴ部５７、復調部５８、並びに、復号部５９を備える。また、送信機７０は、パイロット信号制御部（制御部）６０、符号部６１、変調部６２、Ｓ／Ｐ変換部（Ｓ／Ｐ）６３、パイロット信号生成部６４、スイッチ６５、ＩＦＦＴ部６６、ＧＩ挿入部６７、並びに、Ｄ／Ａ変換部（Ｄ／Ａ）６８を備える。【００７５】
端末から伝送される信号を受信する場合、図４に示す基地局では、アンテナ部５０で受信した信号を無線部５１にてＡ／Ｄ変換可能な周波数に変換し、スイッチ５２を経由してＡ／Ｄ変換部５３においてディジタル信号に変換する。次に、同期部５４にてシンボル同期を確立し、ＧＩ除去部５５においてシンボル毎にＧＩを除去した後、Ｓ／Ｐ変換部５６を経由してＦＦＴ部５７において時間領域の信号を周波数領域の信号に変換する。この信号は復調部５８において復調（伝搬路補償やデマッピング）された後、復号部５９において誤り訂正復号され、データが再生される。同様の処理により、端末から通知されるＣＱＩ情報やパイロット信号制御情報も得られる。但し、本実施形態ではＯＦＤＭＡシステムを対象としているため、基地局における復調部および復号部は周波数チャネル（例えば、Ｎチャネル）分備えられているものとする（図４では省略して示している）。【００７６】
受信機６９において得られた端末からのデータやＣＱＩ情報、パイロット信号制御情報は、図示していない上位層に出力される。このうち、ＣＱＩ情報は周波数スケジューリングや適応変調を行なう際のパラメータとして用いられる。また、パイロット信号制御情報は、端末からのセカンドパイロットシンボルの送信要求であるか、または送信停止要求であるが、これも上位層へ出力され、基地局から端末へ伝送を行なうビット数の決定等に用いられる。さらに、パイロット信号制御情報は、パイロット信号制御部６０にも出力され、ここでセカンドパイロットシンボルの有無を示す情報（端末側へ通知されるパイロットシンボル情報）が生成される。そして、パイロットシンボル情報は、符号部６１やパイロット信号生成部６４、スイッチ６５に入力される。【００７７】
符号部６１には、パイロットシンボル情報の他に、スケジューリング結果を示すスケジューリング情報やデータ伝送に用いる変調方式・符号化率を示す変調方式情報、送信データが入力され、それぞれ誤り訂正符号化が施される。符号化されたこれらの情報は、変調部６２において変調された後、Ｓ／Ｐ変換部６３を経由して、スイッチ６５による切り替え動作によりパイロット信号と時間多重される。このパイロット信号は、パイロットシンボル情報に基づいてパイロット信号生成部６４において生成されるものであり、スイッチ６５の切り替えもパイロットシンボル情報に基づいて行なわれる。但し、本実施形態ではＯＦＤＭＡシステムを対象としているので、これらの動作を行なうブロックは周波数チャネル（Ｎチャネル）分備えられているものとする。【００７８】
スイッチ６５においてパイロット信号と多重されたＮチャネル分のデータ信号はＩＦＦＴ部６６に入力され、一括して時間領域の信号に変換される。このような信号に対し、ＧＩ挿入部６７においてシンボル毎にＧＩが挿入され、Ｄ／Ａ変換部６８においてアナログ信号に変換される。そして、スイッチ５２を経由して無線部５１において送信可能な周波数に周波数変換された後、アンテナ部５０から送信される。【００７９】
このような構成とすることにより、端末からの要求に従ってセカンドパイロットシンボルの送信（割り当て）の停止を行ない、セカンドパイロットシンボルの有無を端末に通知することができる。また、端末では受信状況（干渉信号の有無）に応じて良好な伝搬路推定値を用いた伝搬路補償を行なうことができる。【００８０】
次に、本実施形態における端末および基地局の第二のパイロットシンボルを多重する制御にかかわる制御フローを図５、図６にそれぞれ示す。図５は、端末側において、パイロット信号制御情報を生成する動作を示すフローチャートである。図５に示すように、まず端末側ではデータ伝送に先立って送信される制御信号を受信し（Ｓ１０）、パイロットシンボル情報を得る。このパイロットシンボル情報はセカンドパイロットシンボルが多重されているか否かを示しており、シンボル分離部１９並びにコピー部２０は、パイロットシンボル情報よりセカンドパイロットシンボルの有無を判断する（Ｓ１１）。ステップＳ１１において、セカンドパイロットシンボルが多重されていると判断される場合には（Ｓ１１でＹＥＳ）、ＣＱＩ測定部２５は、ファーストパイロットシンボルのＣＱＩの測定を行なう（Ｓ１２）。さらに、セカンドパイロットシンボルのＣＱＩの測定も行ない（Ｓ１３）、また、伝搬路推定部２８は、ファーストパイロットシンボルおよびセカンドパイロットシンボルを用いた伝搬路推定値の算出を行なう（Ｓ１４、Ｓ１５）。次に、このように算出された２つの伝搬路推定値のいずれか、または両方を用いてデータシンボルの伝搬路補償を行なうことになるが、まずここで、フェージング変動速度と予め決められた閾値Ｖ（速度閾値）との比較を行なう（Ｓ１６）。【００８１】
ステップＳ１６における比較の結果、変動速度が閾値Ｖ以上である場合には（Ｓ１６でＮＯ）、高速に変動するフェージングに追随した伝搬路補償を行なうため、内挿・外挿部２９は、ファーストパイロットシンボルから算出された伝搬路推定値とセカンドパイロットシンボルから算出された伝搬路推定値に対して内挿および外挿処理を施し、２つの伝搬路推定値を補間した新たな伝搬路推定値を算出する（Ｓ１７）。そして、Ｓ１８に示すように、伝搬路補償部２１は、内挿・外挿処理により算出された伝搬路推定値を用いてデータシンボルの伝搬路補償を行なう。このように伝搬路補償および復調が行なわれた後、端末から基地局へ次フレームに関する制御情報を送信することとなるが、この場合にはフェージングの変動速度が速いため、ファーストパイロットシンボルとセカンドパイロットシンボルの両方を用いた伝搬路補償を行なう必要がある。このため、Ｓ１８からＳ２３へ進み、パイロット制御情報生成部３２は、セカンドパイロットシンボルの送信を基地局へ要求するパイロット信号制御情報を生成し、生成したパイロット信号制御情報を無線部１１を介して基地局へ送る。【００８２】
また、ステップＳ１６における比較の結果、変動速度が閾値Ｖ未満である場合には（Ｓ１６でＹＥＳ）、フェージング変動が低速であるため、ファーストパイロットシンボルまたはセカンドパイロットシンボルから得られる伝搬路推定値のいずれかを用いて伝搬路補償を行なえばよい。そこで、ＣＱＩ比較部２７は、セカンドパイロットシンボルにおけるＣＱＩとファーストパイロットシンボルにおけるＣＱＩの比較を行なう（Ｓ１９）。ステップＳ１９における比較の結果、セカンドパイロットシンボルのＣＱＩとファーストパイロットシンボルのＣＱＩの差が予め決められた閾値Ｔ（差分閾値）未満である場合には（Ｓ１９でＹＥＳ）、推定値選択部３０は、同一リソースを用いる端末が隣接セルに存在すると判断し、ファーストパイロットシンボルから得られる伝搬路推定値を選択し、伝搬路補償部２１は、選択された伝搬路推定値を用いてデータシンボルの伝搬路補償を行なう（Ｓ２０）。そして、この場合にはパイロット制御情報生成部３２は、伝搬路補償に用いられないセカンドパイロットシンボルの送信停止を基地局へ要求するパイロット信号制御情報を生成し、生成したパイロット信号制御情報を基地局へ送る（Ｓ２２）。【００８３】
一方、ステップＳ１９における比較の結果、セカンドパイロットシンボルのＣＱＩとファーストパイロットシンボルのＣＱＩの差が予め決められた閾値Ｔ以上である場合には（Ｓ１９でＮＯ）、推定値選択部３０は、同一リソースを用いる端末が隣接セルに存在しないと判断し、セカンドパイロットシンボルから得られる伝搬路推定値を選択し、伝搬路補償部２１は、受信状況の良好なセカンドパイロットシンボルから得られる伝搬路推定値を用いてデータシンボルの伝搬路補償を行なう（Ｓ２１）。そして、パイロット制御情報生成部３２は、セカンドパイロットシンボルの送信継続を基地局へ要求するパイロット信号制御情報を生成し、生成したパイロット信号制御情報を基地局へ送る。【００８４】
ステップＳ１１において、セカンドパイロットシンボルが多重されていないと判断される場合には、ＣＱＩ測定部２５は、ファーストパイロットシンボルのＣＱＩの測定を行ない（Ｓ２４）、データシンボルのＣＱＩの測定も行なう（Ｓ２５）。次に、伝搬路推定部２８は、ファーストパイロットシンボルを用いた伝搬路推定値の算出を行ない（Ｓ２６）、伝搬路補償部２１は、算出された伝搬路推定値を用いてデータシンボルの伝搬路補償を行なう（Ｓ２７）。次に、フェージングの変動速度と予め決められた閾値Ｖとを比較し（Ｓ２８）、変動速度が閾値Ｖ以上である場合には（Ｓ２８でＮＯ）、２つのパイロットシンボルを用いた伝搬路補償を行なう必要があるため、パイロット制御情報生成部３２は、セカンドパイロットシンボルの送信を基地局へ要求するパイロット信号制御情報を生成し、生成したパイロット信号制御情報を基地局へ送る（Ｓ２３）。また、ステップＳ２８における比較の結果、変動速度が閾値Ｖ未満であると判断される場合には（Ｓ２８でＹＥＳ）、ＣＱＩ比較部２７は、データシンボルにおけるＣＱＩとファーストパイロットシンボルにおけるＣＱＩの比較を行なう（Ｓ２９）。この結果、データシンボルのＣＱＩとファーストパイロットシンボルのＣＱＩの差が予め決められた閾値Ｔ未満である場合には（Ｓ２９でＹＥＳ）、パイロット制御情報生成部３２は、セカンドパイロットシンボルの送信停止の継続を基地局へ要求するパイロット信号制御情報を生成し、生成したパイロット信号制御情報を基地局へ送る（Ｓ２２）。一方、ステップＳ２９における比較の結果、データシンボルのＣＱＩとファーストパイロットシンボルのＣＱＩの差が予め決められた閾値Ｔ以上である場合には（Ｓ２９でＮＯ）、パイロット制御情報生成部３２は、セカンドパイロットシンボルの送信を基地局へ要求するパイロット信号制御情報を生成し、生成したパイロット信号制御情報を基地局へ送る（Ｓ２３）。【００８５】
図６は、基地局側において、第二のパイロット信号を多重する動作を示すフローチャートである。基地局では、端末から通知されるパイロット信号制御情報を受信する（Ｓ５０）。受信したパイロット信号制御情報は、セカンドパイロットシンボルの送信または送信停止を要求する制御情報であり、端末からセカンドパイロットシンボルの送信要求がある場合には（Ｓ５１でＹＥＳ）、パイロット信号制御部６０は、次フレームにおいて該当端末に割り当てるリソース内にセカンドパイロットシンボルを多重して信号伝送を行なう（Ｓ５２）。逆に、端末からセカンドパイロットシンボルの送信停止要求がある場合には（Ｓ５１でＮＯ）、パイロット信号制御部６０は、次フレームにおいて該当端末に割り当てるリソース内にセカンドパイロットシンボルを多重せず信号伝送を行なう（Ｓ５３）。【００８６】
このように端末および基地局の制御を行なうことにより、必要な場合にのみセカンドパイロットシンボルの伝送（割り当て）を行なうことが可能となり、端末では受信状況（干渉の到来状況やフェージング変動速度）に応じた伝搬路推定値の算出および伝搬路補償を行なうことができる。【００８７】
なお、以上に示した本実施形態では、セカンドパイロットシンボルのＣＱＩとファーストパイロットシンボルのＣＱＩの差が予め決められた閾値未満となる場合には、端末はファーストパイロットシンボルから得られる伝搬路推定値のみを用いて伝搬路補償を行なう形態としていたが、これとは異なり、ファーストパイロットシンボルとセカンドパイロットシンボルの伝搬路推定値を平均した値を用いて伝搬路補償を行なう形態としてもよい。このような形態とすることにより、隣接セルからの干渉が到来する状況においても良好な伝搬路推定値を得られる可能性がある。また、ファーストパイロットシンボルとセカンドパイロットシンボルの伝搬路推定値を平均した値に替えて、二つの伝搬路推定値を用いて算出した値（周波数方向における補間等を行なった値）であってもよい。【００８８】
また、伝搬路推定値は幾つかのファーストパイロットシンボル中のサブキャリアを時間方向および周波数方向に平均して算出される場合も考えられるが、そのような場合にも、セカンドパイロットシンボルのＣＱＩと複数のファーストパイロットシンボルの平均を算出した後のＣＱＩを比較し、その差が予め決められた閾値以上となる場合にセカンドパイロットシンボルから得られる伝搬路推定値を用いて伝搬路補償を行なうことにより、より高い精度で復調を行なうことができる。この時、ファーストパイロットシンボル中の幾つかのサブキャリアを時間方向および周波数方向に平均可能な伝搬路状況（時間方向および周波数方向の伝搬路変動が少ない）であるということは、セカンドパイロットシンボルについても同様に平均して伝搬路推定値を算出することが可能である。そこで、セカンドパイロットシンボル中の幾つかのサブキャリアを時間方向および周波数方向に平均してＣＱＩや伝搬路推定値を算出し、それらを用いる構成としてもよい。【００８９】
さらに、本実施形態では、セカンドパイロットシンボルの送信または送信停止を端末側が判断していたが、その判断を基地局側で行なうような形態としてもよい。この場合には、端末からは各パイロットシンボルまたはデータシンボルのＣＱＩが基地局へ通知されることとなる。このようにパイロットシンボルの送信または送信停止を基地局主導で決定するのに適したシステムとしては、複数アンテナ（セクタ）を有する基地局から送信ダイバーシチを行なうシステムや、複数基地局からサイトダイバーシチを行なうシステム等が考えられる。これらの送信ダイバーシチでは、ファーストパイロットシンボルはアンテナ毎に異なる信号が送信されるものの（セルサーチ等に用いられるため）、データシンボルについては同一信号が複数アンテナ（基地局）から送信されるため、ファーストパイロットシンボルにおけるＣＱＩに比較して、データシンボル（またはセカンドパイロットシンボル）におけるＣＱＩの方が高くなる。したがって、このような伝送を行なう場合には、端末側からの判断は必要なく、基地局主導でパイロットシンボルの制御を行なえばよい。そして、端末側では多重されたセカンドパイロットシンボルから得られる伝搬路推定値を用いて伝搬路補償を行なうことにより、ファーストパイロットシンボルから得られる伝搬路推定値を用いて伝搬路補償を行なった場合と比較して、良好な復調特性を得ることができる。【００９０】
例えば、図４に示す基地局装置は、次のような構成であってもよい。例えば、基地局装置は、端末からファーストパイロットシンボルとセカンドパイロットシンボル（またはデータシンボル）の受信品質（伝搬路推定値）を無線部５１を介して受信する。基地局装置は、さらに、受信した前記ファーストパイロットシンボルの受信品質と、前記ファーストパイロットシンボルを割り当てたシンボルとは異なるシンボルの受信品質とを入力し、入力した二つの受信品質を比較して前記差分を算出する比較部と、比較部が算出した差分に基づいて、前記ファーストパイロットシンボルを割り当てたシンボルとは異なるシンボルに第二のパイロット信号を割り当てることを指示するパイロット信号制御情報を生成するパイロット制御情報生成部と、を備える。パイロット信号制御部６０は、生成したパイロット信号制御情報に基づいて、ファーストパイロットシンボルに加え、セカンドパイロットシンボルを多重することを制御する。【００９１】
（第２の実施形態）
本発明による第１の実施形態では、セカンドパイロットシンボルの送信要求が端末から送られた場合には、次フレームの伝送において基地局は必ずセカンドパイロットシンボルを多重するものとしていた。しかし、基地局において適応的な周波数スケジューリング（チャネル割り当て）が行なわれる場合には、次フレームの伝送時に割り当てられる周波数チャネルが前フレームと同一であるとは限らず、割り当てられる周波数チャネルが異なる場合には、セカンドパイロットシンボルを多重して伝送しても、そのセカンドパイロットシンボルは伝搬路補償に用いられない可能性がある。そこで、本発明による第２の実施形態では、前フレームと同一の周波数チャネルに割り当てられない場合にはセカンドパイロットシンボルを多重しないものとする。【００９２】
図７は、本実施形態に係る基地局側の動作を示すフローチャートである。但し、端末側の制御は第１の実施形態と同一のフローチャートで実現できるため、説明を省略する。図７に示すように、基地局では、端末から通知されるパイロット信号制御情報を受信する（Ｓ１００）。このパイロット信号制御情報は、セカンドパイロットシンボルの送信または送信停止を要求する制御情報である。パイロット信号制御部６０は、端末からセカンドパイロットシンボルの送信要求がある場合には（Ｓ１０１でＹＥＳ）、次に、フェージングの変動速度と予め決められた閾値Ｖの比較を行なう（Ｓ１０２）。Ｓ１０２における比較の結果、フェージングの変動速度が閾値Ｖ以上であると判断された場合には（Ｓ１０２でＮＯ）、パイロット信号制御部６０は、次フレームにおいて該当端末に割り当てるリソース内にセカンドパイロットシンボルを多重して信号伝送を行なう（Ｓ１０４）。逆に、ステップＳ１０２における比較の結果、フェージングの変動速度が閾値Ｖ未満であると判断された場合には（Ｓ１０２でＹＥＳ）、パイロット信号制御部６０は、次フレームにおいて該当端末に割り当てるチャネルが前フレームの伝送時に割り当てたチャネルと同一であるかの判断をする（Ｓ１０３）。【００９３】
次フレームにおいても前フレームと同一のチャネルが割り当てられると判断された場合には（Ｓ１０３でＹＥＳ）、パイロット信号制御部６０は、次フレームにおいて該当端末に割り当てるリソース内にセカンドパイロットシンボルを多重して信号伝送を行なう（Ｓ１０４）。逆に、次フレームでは前フレーム伝送時と異なるチャネルが割り当てられると判断された場合には（Ｓ１０３でＮＯ）、パイロット信号制御部６０は、次フレームにおいて該当端末に割り当てるリソース内にセカンドパイロットシンボルを多重せずに信号伝送を行なう（Ｓ１０５）。【００９４】
また、ステップＳ１０１においてセカンドパイロットシンボルの送信要求がない、または送信停止要求がある場合には（Ｓ１０１でＮＯ）、次フレームにおいて該当端末に割り当てるリソース内にセカンドパイロットシンボルを多重せずに信号伝送を行なう（Ｓ１０５）。【００９５】
このような制御を行なうことにより、伝搬路補償に用いられず無駄となる可能性のあるセカンドパイロットの伝送を行なわず、その代わりにデータシンボルを伝送することが可能となり、周波数利用効率の低下を防止することができる。【００９６】
（第３の実施形態）
上記各実施形態では、隣接セルにおいて同一リソースを用いる端末が存在しない状況においては、セカンドパイロットシンボルから得られる伝搬路推定値は、ファーストパイロットシンボルから得られる伝搬路推定値に比べ干渉による誤差が少ないため、そのような状況下の全ての端末においてセカンドパイロットシンボルの送信を要求し、セカンドパイロットシンボルを用いた伝搬路補償を行なうものとしていた。しかし、隣接セルから到来する干渉の影響を大きく受けるのは基地局から離れた地点に位置する端末であって、基地局周辺に位置する端末においては、セカンドパイロットシンボルの方がファーストパイロットシンボルに比べ良好な受信特性であるものの、ファーストパイロットシンボルの受信特性も十分良好であると考えられる。【００９７】
これは、基地局周辺に位置する端末においては、希望信号（自端末宛の信号）は非常に大きな電力で受信されるのに対し、隣接セルから到来する干渉信号は大きく減衰していることによる。したがって、基地局周辺に位置する端末においてファーストパイロットシンボルによる伝搬路補償を行なう場合にも、セカンドパイロットシンボルによる伝搬路補償を行なう場合とさほど変わらない特性が得られるものと考えられる。そこで本実施形態では、隣接セルからの干渉の有無だけでなく、さらに端末の位置も考慮してパイロットシンボルの多重を行なうこととする。【００９８】
図８は、本実施形態に係る端末の動作を示すフローチャートである。本実施形態では、第１の実施形態と同様、端末側でセカンドパイロットシンボルの送信または送信停止を判断する構成とするが、これとは異なり、基地局側のパイロット信号制御部６０でその判断を行なう構成としてもよい。図８に示すように、本実施形態における端末側の制御フローは、第１の実施形態おける端末側の図５のフローチャートにステップＳ２００の判断が加わったものとなっている。このステップＳ２００は、ＣＱＩ比較部２７がファーストパイロットシンボルのＣＱＩと予め決められた閾値Ｕ（品質閾値）の比較を行なうもので、比較の結果、ファーストパイロットシンボルのＣＱＩが閾値Ｕ以上である場合には、セカンドパイロットシンボルの送信停止（または送信停止の継続）を基地局へ要求し（Ｓ２２）、ファーストパイロットシンボルのＣＱＩが閾値Ｕ未満である場合には、セカンドパイロットシンボルの送信を基地局に要求する（Ｓ２３）処理へそれぞれ進む。【００９９】
このように、ファーストパイロットシンボルのＣＱＩの比較処理（Ｓ２００）を追加することにより、高いＣＱＩが得られる（基地局から近い）端末に対してはセカンドパイロットシンボルの伝送を行なわず、代わりにより多くのデータを伝送することができる。また、ＣＱＩが低い（基地局から遠い）端末に対しては第１の実施形態と同様、セカンドパイロットシンボルを用いた伝搬路推定を行なうことが可能となる。【０１００】
（第４の実施形態）
これまでの実施形態では、フェージング変動が高速である場合には、ファーストパイロットシンボルとセカンドパイロットシンボルのそれぞれから得られる伝搬路推定値を内挿・外挿処理した伝搬路推定値を用いてデータシンボルの伝搬路補償を行なう構成としていた。しかし、ファーストパイロットシンボルから得られる伝搬路推定値には隣接セルから到来する干渉の影響による誤差が含まれることが多いため、２つのパイロットシンボルから得られる伝搬路推定値を内挿・外挿処理して得られる伝搬路推定値の誤差も大きくなることが考えられる。そこで、本実施形態では、フェージング変動が高速であり、さらに、同一リソースを用いる端末が隣接セルに存在しないと判断される場合には、セカンドパイロットシンボルと共にサードパイロットシンボルの送信も要求する構成とする。但し、本実施形態では、このサードパイロットシンボルはフレームの最後尾に多重されるものとする。そして、端末がセカンドパイロットシンボルおよびサードパイロットシンボルが多重されたフレームを受信する場合、セカンドパイロットシンボルとサードパイロットシンボルのそれぞれから得られる伝搬路推定値に対して内挿・外挿処理を行ない、それにより得られる伝搬路推定値を用いてデータシンボルの伝搬路補償を行なうものとする。この時、ファーストパイロットシンボルから得られる伝搬路推定値には誤差が多く含まれるため、内挿・外挿処理に用いないものとする。【０１０１】
このように、パイロットシンボルの数を増やすことにより送信できるデータシンボルが減少し、周波数利用効率はやや劣化するものの、フェージング変動と隣接セルから到来する干渉の影響により伝搬路補償の精度が劣化することによってデータ誤りが頻発することを防止することができる。【０１０２】
以上のように、本発明に係る好適な実施形態によれば、ファーストパイロットシンボルに割り当てられるファーストパイロット信号（第一のパイロット信号）に加え、受信品質に応じて、ファーストパイロットシンボルとは異なるシンボルに割り当てられるセカンドパイロットシンボル（第二のパイロット信号）を多重して送信するため、伝送効率の低下を抑制しつつ、同一リソースを用いる端末が隣接セルに存在しない場合には、セカンドパイロットシンボルを用いた伝搬路推定を行なうことにより、伝搬路推定精度の向上を図ることが可能になる。【０１０３】
なお、上記各実施形態では、受信品質の一例としてＣＱＩを用いて説明したが、これに限られるわけではなく、受信される希望信号のレベルと干渉信号のレベルを表すパラメータであればＣＱＩとは別の指標を用いてもよい。
【図面の簡単な説明】
【０１０４】
【図１】Ｅ‐ＵＴＲＡシステムにおいて隣接セルから到来する干渉波の状況について示す図である。
【図２】干渉波が受信品質に与える影響の一例を示す図である。
【図３】第１の実施形態の端末装置の構成の一例を示すブロック図である。
【図４】第１の実施形態の基地局装置の構成の一例を示すブロック図である。
【図５】端末側において、パイロット信号制御情報を生成する動作の一例を示すフローチャートである。
【図６】基地局側において、第二のパイロット信号を多重する動作の一例を示すフローチャートである。
【図７】第２の実施形態の基地局側の動作の一例を示すフローチャートである。
【図８】第３の実施形態の端末側の動作の一例を示すフローチャートである。
【図９】Ｅ‐ＵＴＲＡのダウンリンクにおける周波数・時間、リソースの分割例を示す図である。
【符号の説明】
【０１０５】
１０、５０  アンテナ部
１１、５１  無線部
１２、５２、６５  スイッチ
１３、５３  Ａ／Ｄ変換部（Ａ／Ｄ）
１４、５４  同期部
１５、５５  ＧＩ除去部
１６、３５、５６、６３  Ｓ／Ｐ変換部（Ｓ／Ｐ）
１７、５７  ＦＦＴ部
１８  チャネル選択部
１９  シンボル分離部
２０  コピー部
２１  伝搬路補償部
２２  デマッピング部
２３  Ｐ／Ｓ変換部（Ｐ／Ｓ）
２４、５９  復号部
２５  ＣＱＩ測定部（測定部）
２６  バッファ
２７  ＣＱＩ比較部（比較部）
２８  伝搬路推定部
２９  内挿・外挿部
３０  推定値選択部
３１  ＣＱＩ情報生成部
３２  パイロット制御情報生成部
３３、６１  符号部
３４、６２  変調部
３６、６６  ＩＦＦＴ部
３７、６７  ＧＩ挿入部
３８、６８  Ｄ／Ａ変換部（Ｄ／Ａ）
３９、６９  受信機
４０、７０  送信機
５８  復調部
６４  パイロット信号生成部
【図１】
2007142119.tif 000003
【図２】
2007142119.tif 000004
【図３】
2007142119.tif 000005
【図４】
2007142119.tif 000006
【図５】
2007142119.tif 000007
【図６】
2007142119.tif 000008
【図７】
2007142119.tif 000009
【図８】
2007142119.tif 000010
【図９】
2007142119.tif 000011
【国際調査報告】
2007142119.tif 000012
2007142119.tif 000013
2007142119.tif 000014
2007142119.tif 000015